(57)【要約】【課題】各頁に印刷する画像の色味を再現するのに適した印刷用紙を各頁の印刷にそれぞれ使用する。【解決手段】本身用紙Ｐ２に各頁の本身の画像を印刷するための印刷ジョブの印刷設定情報にジョブ単位で設定された印刷用紙ではなく、各頁の本身の画像の色再現範囲やオブジェクト種類（文字、イラスト、写真等）から、それらに適した色再現可能な範囲を有する種類の印刷用紙を検出して、各頁の本身用紙Ｐ２として用いる。このため、本身の画像の色再現範囲やオブジェクト種類が各頁毎にそれぞれ異なり、各頁の画像に適した色再現可能な範囲を有する本身用紙Ｐ２を印刷ジョブの印刷設定情報に個別に設定できなくても、各頁の画像に適した色再現可能な範囲を有する本身用紙Ｐ２を各頁に用いて、各頁の本身の画像を本身用紙Ｐ２にそれぞれ印刷することができる。【選択図】図６
2018103507.tif 000002
【特許請求の範囲】
【請求項１】
印刷ジョブを実行して印刷用紙に画像を印刷する画像形成装置であって、
前記印刷ジョブの印刷データから各頁の画像のオブジェクト種類及び色再現範囲を検出する検出部と、
前記検出部が検出した各頁の画像のオブジェクト種類及び色再現範囲から、各頁の画像を印刷するのに適した印刷用紙を頁毎に設定する印刷用紙設定部と、
前記印刷用紙設定部により設定された頁毎の印刷用紙を各頁に使用して、前記印刷ジョブに基づく各頁の画像の印刷を実行する印刷部と、
を備える画像形成装置。
【請求項２】
前記検出部が検出した各頁の画像のオブジェクト種類及び色再現範囲のうちいずれか一方から、各頁の画像を印刷するのに適した印刷用紙を頁毎に選択する用紙選択部と、
前記検出部が検出した各頁の画像のオブジェクト種類及び色再現範囲のうちいずれか他方から、前記用紙選択部が選択した各頁の印刷用紙の、前記他方に応じた印刷用紙への変更の要否を判定する用紙変更判定部とをさらに備え、
前記印刷用紙設定部は、前記用紙選択部により選択されて前記用紙変更判定部による変更の要否の判定結果が反映された印刷用紙を、各頁に使用する頁毎の印刷用紙として設定する、
請求項１記載の画像形成装置。
【請求項３】
前記印刷ジョブは、製本して製本物とする表紙及び本身の各印刷用紙に画像を印刷するジョブであり、前記印刷用紙設定部により前記本身の各頁に使用するものとして設定された頁毎の本身用の印刷用紙のうち、前記表紙の前後の頁に使用する本身用の印刷用紙を、前記印刷用紙設定部により設定された印刷用紙よりも色再現可能な範囲が大きい印刷用紙に変更する印刷用紙変更部をさらに備えており、前記印刷部は、前記印刷用紙設定部により設定されて前記印刷用紙変更部による変更が反映された頁毎の印刷用紙を各頁に使用して、前記印刷ジョブに基づく各頁の画像の印刷を実行する請求項１又は２記載の画像形成装置。
【発明の詳細な説明】
【技術分野】
【０００１】
本発明は、印刷ジョブを実行して印刷用紙に画像を印刷する画像形成装置に関する。
【背景技術】
【０００２】
画像形成装置で画像を印刷する場合、印刷に使用する印刷用紙は、文字の印刷なら普通紙で十分であるが、写真の印刷には、最適な色味を再現できるように、普通紙よりもマット紙等を用いるのが好ましい。したがって、文字の頁と写真の頁とが混在する週刊誌や漫画雑誌のような書籍の印刷ジョブを画像形成装置で実行する際には、印刷する画像に応じた印刷用紙を頁毎に使い分けるのが理想的である。
【０００３】
しかし、現在のプリンタドライバが生成する印刷ジョブでは、印刷に使用する印刷用紙が、全頁を通じて単一の印刷用紙に設定される。このため、写真の頁を例えばマット紙に印刷するためには、全ての頁にマット紙を用いる印刷ジョブを生成しなければならない。そうすると、文字しかない頁では必要以上にスペックの高い印刷用紙を用いることになり、コストの面から見て好ましくない。
【０００４】
かといって、印刷に用いる印刷用紙毎に印刷ジョブを分けると、印刷後に印刷用紙を頁順に並べ直す作業が必要となり、その作業に多大な労力を費やさなければならなくなる。
【０００５】
そこで、印刷ジョブを受け取った画像形成装置において、各頁の印刷データから各頁の画像の色再現範囲を求め、これを基に、各頁の画像を色再現範囲の大きさに応じた適切な印刷用紙にそれぞれ印刷することが提案されている（例えば、特許文献１）。
【先行技術文献】
【特許文献】
【０００６】
【特許文献１】特開２０００−１４３０１６号公報
【発明の概要】
【発明が解決しようとする課題】
【０００７】
ところで、画像の色再現範囲の大きさは画像を構成する色数によって変わる。このため、上述した提案では、色数が少ない画像の印刷には色再現範囲が小さい印刷用紙が用いられることになる。そうすると、画像の印刷に発色の高い色を使用した場合に、印刷に使用する印刷用紙の色再現範囲の小ささのせいで、期待した発色が得られなくなる可能性がある。しかし、例えば色数の少ない写真の画像の頁には、写真の色味を再現するのに適した色再現範囲の大きい印刷用紙が使用されることが望ましい。
【０００８】
本発明は前記事情に鑑みなされたもので、本発明の目的は、各頁に印刷する画像の色味を再現するのに適した印刷用紙を各頁の印刷にそれぞれ使用することができる画像形成装置を提供することにある。
【課題を解決するための手段】
【０００９】
上記目的を達成するために、本発明の第１の態様による画像形成装置は、
印刷ジョブを実行して印刷用紙に画像を印刷する画像形成装置（例えば、図１の印刷装置２）であって、
前記印刷ジョブの印刷データから各頁の画像のオブジェクト種類及び色再現範囲を検出する検出部（例えば、図３のステップＳ３の処理を実行する図１の印刷制御部２０）と、
前記検出部が検出した各頁の画像のオブジェクト種類及び色再現範囲から、各頁の画像を印刷するのに適した印刷用紙を頁毎に設定する印刷用紙設定部（例えば、図３のステップＳ９の処理を実行する図１の印刷制御部２０）と、
前記印刷用紙設定部により設定された頁毎の印刷用紙を各頁に使用して、前記印刷ジョブに基づく各頁の画像の印刷を実行する印刷部（例えば、図３のステップＳ１３の処理を実行する図１の印刷制御部２０）と、
を備える。
【００１０】
また、本発明の第２の態様による画像形成装置は、本発明の第１の態様による画像形成装置において、
前記検出部が検出した各頁の画像のオブジェクト種類及び色再現範囲のうちいずれか一方から、各頁の画像を印刷するのに適した印刷用紙を頁毎に選択する用紙選択部（例えば、図３のステップＳ５の処理を実行する図１の印刷制御部２０）と、
前記検出部が検出した各頁の画像のオブジェクト種類及び色再現範囲のうちいずれか他方から、前記用紙選択部が選択した各頁の印刷用紙の、前記他方に応じた印刷用紙への変更の要否を判定する用紙変更判定部（例えば、図３のステップＳ７の処理を実行する図１の印刷制御部２０）とをさらに備え、
前記印刷用紙設定部は、前記用紙選択部により選択されて前記用紙変更判定部による変更の要否の判定結果が反映された印刷用紙を、各頁に使用する頁毎の印刷用紙として設定する。
【００１１】
さらに、本発明の第３の態様による画像形成装置は、本発明の第１又は第２の態様による画像形成装置において、前記印刷ジョブは、製本して製本物（例えば、図２の冊子Ｂ）とする表紙及び本身の各印刷用紙に画像を印刷するジョブであり、前記印刷用紙設定部により前記本身の各頁に使用するものとして設定された頁毎の本身用の印刷用紙（例えば、図２の表紙用紙Ｐ１及び本身用紙Ｐ２）のうち、前記表紙の前後の頁に使用する本身用の印刷用紙を、前記印刷用紙設定部により設定された印刷用紙よりも色再現可能な範囲が大きい印刷用紙に変更する印刷用紙変更部（例えば、図３のステップＳ１１の処理を実行する図１の印刷制御部２０）をさらに備えており、前記印刷部は、前記印刷用紙設定部により設定されて前記印刷用紙変更部による変更が反映された頁毎の印刷用紙を各頁に使用して、前記印刷ジョブに基づく各頁の画像の印刷を実行する。
【発明の効果】
【００１２】
本発明によれば、各頁に印刷する画像の色味を再現するのに適した印刷用紙を各頁の印刷にそれぞれ使用することができる。
【００１３】
即ち、本発明の第１の態様による画像形成装置によれば、印刷ジョブを実行して印刷用紙に画像を印刷する際に、印刷ジョブの印刷データから各頁の画像のオブジェクト種類と色再現範囲が検出される。そして、検出された各頁の画像のオブジェクト種類と色再現範囲から、各頁の画像を印刷するのに適した印刷用紙が印刷用紙設定部により設定される。
【００１４】
よって、各頁に印刷する画像の色味を再現するのに適した印刷用紙を各頁の印刷にそれぞれ使用することができる。
【００１５】
また、本発明の第２の態様による画像形成装置によれば、本発明の第１の態様による画像形成装置において、印刷ジョブを実行して印刷用紙に画像を印刷する際に検出された、各頁の画像のオブジェクト種類と色再現範囲のうちいずれか一方から、各頁の画像を印刷するのに適した印刷用紙が用紙選択部により頁毎に選択される。
【００１６】
用紙選択部により選択された頁毎の印刷用紙に対しては、検出された各頁の画像のオブジェクト種類と色再現範囲のうちいずれか他方から、変更の要否が用紙変更判定部により判定される。
【００１７】
そして、変更を要しないと判定された頁の印刷用紙には、用紙選択部が選択した頁毎の印刷用紙が、印刷用紙設定部により設定される。また、変更を要すると判定された頁の印刷用紙には、用紙選択部が選択した頁毎の印刷用紙に代えて、その頁の画像のオブジェクト種類と色再現範囲のうちいずれか他方に応じた印刷用紙が、印刷用紙設定部により設定される。
【００１８】
したがって、印刷ジョブに基づく各頁の印刷用紙への印刷部による印刷は、印刷ジョブの印刷データから検出された各頁の画像のオブジェクト種類と色再現範囲との両方に応じて選択された印刷用紙を用いて行われる。このため、例えば色再現範囲が同じであってもオブジェクト種類が異なる画像を印刷する頁には、オブジェクト種類の違いを考慮した印刷用紙を選んで印刷に用いることができる。
【００１９】
さらに、本発明の第３の態様による画像形成装置によれば、本発明の第１又は第２の態様による画像形成装置において、製本物の表紙の前後の頁の本身に使用する本身用の印刷用紙が、印刷用紙設定部により設定された印刷用紙よりも色再現範囲が大きい印刷用紙に、印刷用紙変更部により変更される。
【００２０】
このため、製本物の表紙（表表紙、裏表紙）に、色再現可能な範囲が最も大きい印刷用紙が使用される場合、隣の頁には、印刷用紙設定部が設定した印刷用紙よりも色再現可能な範囲が表紙に近い印刷用紙が使用される。
【００２１】
よって、使用する印刷用紙の色再現可能な範囲の違いによって、製本物の表紙と次の頁との間に、画像の色味の大きな違いが生じるのを抑制することができる。
【図面の簡単な説明】
【００２２】
【図１】本発明の一実施形態に係る印刷装置を製本装置と併用して構成される製本システムの概略構成を示す説明図である。
【図２】図１の製本装置でくるみ製本された印刷物の一例を示す説明図である。
【図３】図１の製本装置で表紙と共にくるみ製本される本身の画像を印刷するための印刷ジョブを印刷装置が実行する際に印刷制御部によって行われる処理の手順を示すフローチャートである。
【図４】図１の印刷制御部により本身の画像を印刷する本身用紙として設定される印刷用紙の種類と印刷ジョブの印刷データから検出した各頁の画像のオブジェクト種類と色再現範囲との組み合わせとの関係を示す説明図である。
【図５】図２の冊子の各頁に印刷する本身の画像の色再現範囲とオブジェクト種類とに基づいて各頁の本身用紙とする印刷用紙を設定する処理が印刷制御部によって１つのステップの処理で行われる場合の手順を示すフローチャートである。
【図６】図２の冊子を構成する表紙及び本身の画像のオブジェクト種類及び色再現範囲の一例を示す説明図である。
【図７】図１の製本装置で表紙と共にくるみ製本される本身の画像を印刷するための印刷ジョブを印刷装置が実行する際に印刷制御部によって行われる処理の別例の手順を示すフローチャートである。
【発明を実施するための形態】
【００２３】
以下、本発明の実施形態について、図面を参照して説明する。各図面を通じて同一もしくは同等の部位や構成要素には、同一もしくは同等の符号を付している。ただし、図面は模式的なものであり、現実のものとは異なることに留意すべきである。また、図面相互間においても互いの寸法の関係や比率が異なる部分が含まれていることはもちろんである。
【００２４】
また、以下に示す実施形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００２５】
以下、本発明に係る画像形成装置の実施形態について図面を参照しつつ、詳細に説明する。図１は本発明の一実施形態に係る印刷装置を製本装置と併用して構成される製本システムの概略構成を示す説明図である。以下の説明において、ユーザが位置する図１の紙面表方向を前方とする。また、ユーザから視て上下左右を上下左右方向とする。
【００２６】
本実施形態に係る製本システムＡは、通信ネットワークＮを介して接続されたユーザ端末１及び印刷装置２（請求項中の画像形成装置に相当）と、印刷装置２に機械的に接続され、印刷装置２で印刷された表紙用紙Ｐ１及び本身用紙Ｐ２に製本処理を施して冊子を作製する製本装置３とを有している。
【００２７】
通信ネットワークＮは、通信プロトコルＴＣＰ／ＩＰを用いて種々の通信回線（ＦＴＴＨ等の光回線、ＡＤＳＬ回線等の公衆回線、専用回線、無線通信網）を相互に接続して構築される分散型のＩＰ網である。このＩＰ網には、１０ＢＡＳＥ−Ｔや１００ＢＡＳＥ−ＴＸ等によるイントラネット（企業内ネットワーク）や家庭内ネットワーク等のＬＡＮも含まれる。
【００２８】
ユーザ端末１は、ＣＰＵを備えた演算処理装置であり、例えば、パーソナルコンピュータ等の汎用コンピュータにより実現することができる。
【００２９】
ユーザ端末１は、ハードディスク等の内蔵記憶媒体（図示せず）にインストールされた各種アプリケーションソフトを実行することで印刷用のデータ（印刷データ）を作成し、作成した印刷データと印刷設定情報とを含む印刷ジョブを印刷装置２に出力する機能を備えている。
【００３０】
ユーザ端末１が出力する印刷ジョブには、製本用のアプリケーションソフトの実行により作成された印刷ジョブが含まれる。この印刷ジョブは、製本装置３においてくるみ製本により作成される冊子Ｂの表紙と本身の画像を、印刷装置２において印刷用紙に印刷させるためのものである。印刷ジョブの印刷設定情報には、画像の印刷に用いる印刷用紙がジョブ単位で設定される。
【００３１】
図２は、製本装置３でくるみ製本された印刷物の一例を示す説明図である。製本装置３は、複数枚重ねた本身用紙Ｐ２の綴じ側を表紙用紙Ｐ１の背表紙Ｐ１ｂの部分に接着して、表紙用紙Ｐ１の表表紙Ｐ１ａと裏表紙Ｐ１ｃとの間に重ねた本身用紙Ｐ２を配置するくるみ製本動作を行うことで、冊子Ｂを作成する。このため、表紙用紙Ｐ１と本身用紙Ｐ２とは用紙の大きさが異なる。
【００３２】
そこで、ユーザ端末１は、表紙用紙Ｐ１に表紙の画像を印刷するための印刷ジョブと、本身用紙Ｐ２に本身の画像を印刷するための印刷ジョブとを、別々の印刷ジョブとして作成し、印刷装置２に出力する。
【００３３】
図１に示すように、印刷装置２は、通信ネットワークＮを通じてユーザ端末１から受信した印刷ジョブの印刷設定情報に応じた印刷条件で、印刷データの画像を印刷用紙に印刷するプリンタ装置である。
【００３４】
印刷装置２は、印刷装置筐体４（以下、適宜に筐体４という）を備えている。筐体４内には、印刷部５が設けられている。印刷部５は、シアン（Ｃ）、ブラック（Ｋ）、マゼンタ（Ｍ）、イエロー（Ｙ）の各色のインクをそれぞれ吐出するライン型のインクジェットヘッド６Ｃ，６Ｋ，６Ｍ，６Ｙを備えている。
【００３５】
また、筐体４内には、表紙用紙Ｐ１及び本身用紙Ｐ２を搬送するためのループ状の印刷搬送路７が印刷部５を囲むように設けられている。印刷搬送路７に沿った位置には、印刷用紙を搬送する複数のローラ（図示せず）が配置されている。これらのローラにより印刷用紙は、印刷搬送路７を図中反時計回りに搬送される。
【００３６】
筐体４の左側部にはメイン給紙部８が設けられている。メイン給紙部８は、給紙トレイ９に積載された表紙用紙Ｐ１を給紙ローラ１０により給紙搬送路１１に送り出し、不図示の搬送ローラにより給紙搬送路１１の表紙用紙Ｐ１を印刷部５側へ送り出す。
【００３７】
筐体４内における印刷部５の下側にはオプション給紙部１２が設けられている。オプション給紙部１２は、複数の給紙トレイ１３にそれぞれ収容された本身用紙Ｐ２を給紙ローラ１４により給紙搬送路１５に送り出し、不図示の搬送ローラにより給紙搬送路１５の本身用紙Ｐ２を印刷部５側へ送り出す。
【００３８】
印刷搬送路７の左側上部には、表紙用紙Ｐ１及び本身用紙Ｐ２を一時的に収容するスイッチバック部１６が設けられている。スイッチバック部１６内には、印刷搬送路７につながるスイッチバック搬送路１７が設けられている。スイッチバック搬送路１７は、両面印刷時の表紙用紙Ｐ１や本身用紙Ｐ２を、印刷部５による片面印刷後に印刷搬送路７から受け取り、スイッチバックにより表裏反転させて印刷搬送路７に送り出す。
【００３９】
スイッチバック部１６の上面には、印刷後の表紙用紙Ｐ１や本身用紙Ｐ２が必要に応じて排出される排出部１８が設けられている。
【００４０】
筐体４内の右側部には、片面又は両面印刷後の印刷搬送路７から送り出された表紙用紙Ｐ１及び本身用紙Ｐ２を製本装置３側（右方向）へ搬送するための連絡搬送路１９が設けられている。
【００４１】
印刷装置２は、印刷制御部２０を備えている。印刷制御部２０は、ＣＰＵ、ＲＡＭ、ＲＯＭ等を備えて構成される。印刷制御部２０は、印刷装置２の各部の動作を制御するものである。印刷制御部２０の詳細については後述する。
【００４２】
製本装置３は、製本装置筐体３１（以下、適宜に筐体３１という）を備えている。筐体３１内には、印刷装置２の連絡搬送路１９から送り出された印刷済みの表紙用紙Ｐ１及び本身用紙Ｐ２を内部に搬送するための導入搬送路３２が設けられている。導入搬送路３２は連絡搬送路１９に接続されている。
【００４３】
筐体３１内の右側上部には、印刷済みの本身用紙Ｐ２を整合して用紙束ＰＳを形成する整合部３３が設けられている。整合部３３は、複数の本身用紙Ｐ２を積載する整合トレイ３４を備えている。整合トレイ３４は、例えば水平な軸心周りに回転することによって、用紙束ＰＳを後述するクランプ部３９に送り出し可能になっている。
【００４４】
また、筐体３１内の上部には、導入搬送路３２から送り出された印刷済みの表紙用紙Ｐ１及び本身用紙Ｐ２を整合部３３側へ搬送等するための上部製本搬送路３５が設けられている。上部製本搬送路３５は、フリッパ（図示せず）により導入搬送路３２に接続、遮断可能になっている。
【００４５】
筐体３１の上部中央には、印刷済みの表紙用紙Ｐ１を一時的に待機させるストックトレイ３６が設けられている。ストックトレイ３６は、フリッパ（図示せず）により上部製本搬送路３５に接続、遮断可能になっている。また、ストックトレイ３６の適宜位置には、印刷済みの表紙用紙Ｐ１をストックトレイ３６から上部製本搬送路３５側へ送り出すローラ（図示せず）が設けられている。ストックトレイ３６の表紙用紙Ｐ１は、１枚ずつ上部製本搬送路３５に取り込まれて製本装置３に給紙される。
【００４６】
ストックトレイ３６の左側には、断裁部３７が設けられている。断裁部３７は、印刷済みの表紙用紙Ｐ１を用紙束ＰＳの厚さに応じた寸法になるように断裁する。断裁部３７は、上部製本搬送路３５を間にして表紙用紙Ｐ１を挟むように断裁するカッタ３８を備えている。
【００４７】
筐体３１内には、整合トレイ３４（整合部３３）から送り出された用紙束ＰＳをクランプ（挟持）して移動可能なクランプ部３９が設けられている。クランプ部３９には、用紙束ＰＳの厚さを検出する用紙束厚さセンサ（図示せず）が設けられている。
【００４８】
筐体３１内における整合トレイ３４の左下側には、用紙束ＰＳの背面（下面）にホットメルト接着剤Ｇを塗布する接着剤塗布部４０が設けられている。接着剤塗布部４０は、ホットメルト接着剤Ｇを収容する接着剤収容部４１を備えている。接着剤収容部４１内には、用紙束ＰＳにホットメルト接着剤Ｇを塗布する塗布ローラ４２が設けられている。
【００４９】
接着剤塗布部４０の左側には、成形部４３が設けられている。成形部４３は、一対の背折りプレート４４と、一対の背折りプレート４４の下側に設けられた突き当てプレート４５とを備えている。一対の背折りプレート４４は、互いに接近、離反するように、突き当てプレート４５上で左右方向に移動可能になっている。突き当てプレート４５は、左右方向に移動可能になっている。
【００５０】
ホットメルト接着剤Ｇが塗布済みの用紙束ＰＳの背面（下面）が表紙用紙Ｐ１を介して突き当てプレート４５に当接した状態で、左右から一対の背折りプレート４４が表紙用紙Ｐ１を介して用紙束ＰＳを押圧することで、表紙用紙Ｐ１が折り曲げられるようになっている。これにより、冊子Ｂが成形される。
【００５１】
筐体３１内における上部製本搬送路３５の下側には、上部製本搬送路３５から送り出された印刷済みの表紙用紙Ｐ１を成形部４３へ搬送するための下部製本搬送路４６が設けられている。下部製本搬送路４６は、フリッパ（図示せず）により上部製本搬送路３５に接続、遮断可能である。
【００５２】
導入搬送路３２、上部製本搬送路３５、下部製本搬送路４６、及びこれらに沿って配置されたローラ、表紙用紙Ｐ１をストックトレイ３６から上部製本搬送路３５側へ送り出すローラ等により、搬送部４７が構成される。
【００５３】
筐体３１内における成形部４３の下側には、成形部４３から落下する完成した冊子Ｂをガイドするガイド部材４８，４９が設けられている。ガイド部材４８，４９の下側には、成形部４３から落下した冊子Ｂを筐体３１外に排出する排出部５０が設けられている。
【００５４】
排出部５０は、成形部４３から落下した冊子Ｂを上側コンベア５１で受け取り、下側コンベア５６を経て筐体３１外の排出トレイ６６に排出するものである。排出トレイ６６の冊子Ｂが満杯になると、排出トレイ６６の可動板６７が下がって図示しない満杯検知スイッチがオンになる。
【００５５】
製本装置３の各部の動作は、製本制御部６８で制御される。製本制御部６８は、ＣＰＵ、ＲＡＭ、ＲＯＭ等を備えて構成される。
【００５６】
ところで、本身の画像を印刷するための印刷ジョブを印刷装置２が実行する場合、印刷に使用する本身用紙Ｐ２は、文字の画像を印刷するなら普通紙で十分であるが、写真の画像を印刷するには、最適な色味を再現できるように、普通紙よりもマット紙等を用いるのが好ましい。しかし、ユーザ端末１から出力される印刷ジョブの印刷設定情報では、先に説明したように、印刷に使用される印刷用紙をジョブ単位で設定することしかできない。
【００５７】
そこで、本実施形態の印刷装置２では、ユーザ端末１から受信した印刷ジョブの印刷設定情報に、各頁の画像の印刷に用いる印刷用紙を印刷装置２において自動で選択することを要求するステータス（自動用紙選択要求のステータス）が含まれている場合に、印刷ジョブの印刷データに基づいて、各頁の画像を印刷するのに適した印刷用紙を、印刷設定情報に設定された印刷用紙に代えて印刷制御部２０が選択するようにしている。
【００５８】
なお、印刷制御部２０が選択する印刷用紙の選択肢は、本実施形態では、印刷装置２のオプション給紙部１２の給紙トレイ１３に本身用紙Ｐ２として収容することができる印刷用紙であって、本実施形態では、普通紙（更紙）、ＩＪ（インクジェット）用紙、マット紙、高品位用紙の４種類である場合を例示している。
【００５９】
以下、ユーザ端末１から出力された本身の画像を印刷するための印刷ジョブが自動用紙選択要求のステータスを含んでいる場合に、印刷装置２の印刷制御部２０が行う処理について、図３のフローチャートを参照して説明する。
【００６０】
図３は製本装置３で表紙と共にくるみ製本される本身の画像を印刷するための印刷ジョブを印刷装置２が実行する際に印刷制御部２０によって行われる処理の手順を示すフローチャートである。
【００６１】
図３に示すように、印刷制御部２０は、本身の画像を印刷するための印刷ジョブを受信したならば、まず、受信した印刷ジョブの印刷設定情報に自動用紙選択要求のステータスが含まれているか否かを確認する（ステップＳ１）。
【００６２】
印刷設定情報に自動用紙選択要求のステータスが含まれていない場合は（ステップＳ１でＮＯ）、後述するステップＳ１３に処理を移行する。一方、自動用紙選択要求のステータスが含まれている場合は（ステップＳ１でＹＥＳ）、印刷制御部２０は、印刷ジョブの印刷データから、各頁の画像のオブジェクト種類と色再現範囲とを検出する（ステップＳ３）。
【００６３】
ここで検出される画像のオブジェクト種類は、本実施形態の場合、図４の説明図に示すように、「文字」、「イラスト」、「写真」の３種類である。また、画像の色再現範囲については、本実施形態では、「小」、「中」、「大」の３段階のいずれであるかが検出される。なお、画像の色再現範囲とは、ＣＫＭＹのインクで画像を印刷した場合の色域の範囲である。この色再現範囲は、画像を構成する色の数、画像の彩度、画像の濃度から算出することができる。
【００６４】
そして、印刷制御部２０は、検出した各頁の画像のオブジェクト種類に対応する印刷用紙を、各頁の本身の画像の印刷に用いる本身用紙Ｐ２としてそれぞれ設定する（ステップＳ５）。
【００６５】
このステップＳ５において印刷制御部２０は、ステップＳ３において検出した画像のオブジェクト種類が「文字」や「イラスト」である頁の本身の画像の印刷に用いる本身用紙Ｐ２として、「普通紙（更紙）」を設定する。
【００６６】
また、ステップＳ５において印刷制御部２０は、ステップＳ３において検出した画像のオブジェクト種類が「写真」である頁の本身の画像の印刷に用いる本身用紙Ｐ２として、「ＩＪ（インクジェット）用紙」を設定する。
【００６７】
そして、ステップＳ５の後、印刷制御部２０は、検出した各頁の画像の色再現範囲から、各頁の本身の画像の印刷に用いる本身用紙Ｐ２として設定した印刷用紙の変更の要否を頁毎に判定する（ステップＳ７）。
【００６８】
このステップＳ７において印刷制御部２０は、ステップＳ３においてオブジェクト種類が「文字」であると検出した頁の本身の画像の色再現範囲が「小」（単色カラー相当）や「中」（複数色カラー相当）であると検出した場合は、その頁の印刷用紙の変更が必要でない（ＮＯ）と判定し、後述するステップＳ１１に処理を移行する。
【００６９】
一方、ステップＳ７において印刷制御部２０は、ステップＳ３においてオブジェクト種類が「文字」であると検出した頁の本身の画像の色再現範囲が「大」（フルカラー）であると検出した場合は、その頁の印刷用紙の変更が必要である（ＹＥＳ）と判定し、その頁の本身の画像の印刷に用いる本身用紙Ｐ２を、「普通紙（更紙）」から「ＩＪ（インクジェット）用紙」に変更した後（ステップＳ９）、ステップＳ１１に処理を移行する。
【００７０】
また、ステップＳ７において印刷制御部２０は、ステップＳ３においてオブジェクト種類が「イラスト」であると検出した頁の本身の画像の色再現範囲が「小」（単色カラー相当）であると検出した場合は、その頁の印刷用紙の変更が必要でない（ＮＯ）と判定し、ステップＳ１１に処理を移行する。
【００７１】
一方、ステップＳ７において印刷制御部２０は、ステップＳ３においてオブジェクト種類が「イラスト」であると検出した頁の本身の画像の色再現範囲が「中」（複数色カラー相当）や「大」（フルカラー）であると検出した場合は、その頁の印刷用紙の変更が必要である（ＹＥＳ）と判定し、その頁の本身の画像の印刷に用いる本身用紙Ｐ２を変更した後（ステップＳ９）、ステップＳ１１に処理を移行する。
【００７２】
なお、ステップＳ３においてオブジェクト種類が「イラスト」であり色再現範囲が「中」（複数色カラー）であると検出した頁の本身の画像の印刷に用いる本身用紙Ｐ２の設定を、印刷制御部２０は、ステップＳ９において、「普通紙（更紙）」から「ＩＪ（インクジェット）用紙」に変更する。
【００７３】
また、ステップＳ３においてオブジェクト種類が「イラスト」であり色再現範囲が「大」（フルカラー）であると検出した頁の本身の画像の印刷に用いる本身用紙Ｐ２の設定を、印刷制御部２０は、ステップＳ９において、「普通紙（更紙）」から「マット紙又は高品位用紙」に変更する。
【００７４】
さらに、ステップＳ７において印刷制御部２０は、ステップＳ３においてオブジェクト種類が「写真」であると検出した頁の本身の画像の色再現範囲が「小」（単色カラー相当）であると検出した場合は、その頁の印刷用紙の変更が必要でない（ＮＯ）と判定し、ステップＳ１１に処理を移行する。
【００７５】
一方、ステップＳ７において印刷制御部２０は、ステップＳ３においてオブジェクト種類が「写真」であると検出した頁の本身の画像の色再現範囲が「中」（複数色カラー相当）や「大」（フルカラー）であると検出した場合は、その頁の印刷用紙の変更が必要である（ＹＥＳ）と判定し、その頁の本身の画像の印刷に用いる本身用紙Ｐ２を、「ＩＪ（インクジェット）用紙」から「マット紙又は高品位用紙」に変更した後（ステップＳ９）、ステップＳ１１に処理を移行する。
【００７６】
ここまでの処理により、印刷ジョブの印刷データから検出した各頁の画像のオブジェクト種類と色再現範囲との組み合わせとそれに対応する本身用紙Ｐ２として設定される印刷用紙の種類との関係は、図４の説明図に示すような関係となる。
【００７７】
そして、ステップＳ１１では、印刷制御部２０は、ステップＳ９までの処理によって印刷用紙の種類を決定した各頁のうち、冊子Ｂの表表紙Ｐ１ａや裏表紙Ｐ１ｃの前後の頁について、その頁の本身の画像の印刷に用いる本身用紙Ｐ２の設定を、表表紙Ｐ１ａや裏表紙Ｐ１ｃの画像の印刷に用いる表紙用紙Ｐ１とする高品位用紙よりも色再現可能な範囲が１段階低いマット紙に変更する。
【００７８】
その後、ステップＳ１３に移行して、ステップＳ５で本身用紙Ｐ２として設定された種類の印刷用紙、あるいは、ステップＳ９やステップＳ１１で変更された種類の印刷用紙を用いて、各頁の画像を印刷部５により本身用紙Ｐ２にそれぞれ印刷させて、一連の処理を終了する。
【００７９】
なお、図３のステップＳ５からステップＳ１１の処理に代えて、例えば図５のフローチャートに示すように、各頁の本身用紙Ｐ２として用いる印刷用紙を、各頁に印刷する本身の画像の色再現範囲とオブジェクト種類とに基づいて設定する処理（ステップＳ４）を、印刷制御部２０に実行させるようにしても良い。その場合、例えば、図４の説明図に示す画像の色再現範囲とオブジェクト種類との組み合わせに対応する本身用紙Ｐ２を定義したテーブルを、印刷制御部２０のメモリに記憶させておき、このテーブルを参照するようにしても良い。
【００８０】
そして、印刷装置２で印刷された各頁の本身用紙Ｐ２は、連続した印刷ジョブの実行により印刷された表紙用紙Ｐ１と共に製本装置３に送り込まれ、製本処理されて冊子Ｂに製本される。
【００８１】
このように構成された本実施形態の製本システムＡによって作成される冊子Ｂは、例えば、図６の説明図に示すように、頁毎にそれぞれ印刷される画像のオブジェクトが異なり、画像の色数も異なる。そして、画像の色再現範囲は、画像の色数が多いほど大きくなる。また、画像の色数が同じでも、文字の画像よりイラストの画像の方が、再現したい色味は複雑となる。写真の画像の場合はイラストの画像よりもさらに、再現したい色味が複雑となる。
【００８２】
その上、特に冊子Ｂの外側に露出する表紙用紙Ｐ１の表表紙Ｐ１ａや裏表紙Ｐ１ｃに印刷される画像には、本身用紙Ｐ２に印刷される画像よりもより高い発色が求められ、その分、再現したい色味がさらに複雑となる。
【００８３】
このため、表紙用紙Ｐ１には、色再現可能な範囲が最も大きい高品質用紙が用いられる。また、各頁の本身用紙Ｐ２には、各頁の画像の色再現範囲やオブジェクト種類（文字、イラスト、写真等）に応じた色再現可能な範囲を有する印刷用紙を用いることが要求される。
【００８４】
そこで、本実施形態の印刷装置２では、本身用紙Ｐ２に各頁の本身の画像を印刷するためのユーザ端末１から入力される印刷ジョブの印刷設定情報にジョブ単位で設定された印刷用紙ではなく、各頁の本身の画像の色再現範囲やオブジェクト種類（文字、イラスト、写真等）から、それらに適した色再現可能な範囲を有する種類の印刷用紙を検出して、各頁の本身用紙Ｐ２として用いるようにした。
【００８５】
このため、本身の画像の色再現範囲やオブジェクト種類が各頁毎にそれぞれ異なり、各頁の画像に適した色再現可能な範囲を有する本身用紙Ｐ２を印刷ジョブの印刷設定情報において個別に設定できなくても、各頁の画像に適した色再現可能な範囲を有する本身用紙Ｐ２を各頁に用いて、各頁の本身の画像を本身用紙Ｐ２にそれぞれ印刷することができる。
【００８６】
また、表表紙Ｐ１ａの次の頁や裏表紙Ｐ１ｃの前の頁の本身の画像を印刷する本身用紙Ｐ２として、高品位用紙を用いる表紙用紙Ｐ１よりも色再現可能な範囲が１段階低いマット紙を用いるようにしたので、表表紙Ｐ１ａや裏表紙Ｐ１ｃとその前後の頁の本身との間で、表紙用紙Ｐ１に印刷された画像と本身用紙Ｐ２に印刷された画像との間に、画像の色味の大きな違いが生じるのを抑制することができる。
【００８７】
但し、表表紙Ｐ１ａや裏表紙Ｐ１ｃの前後の頁の本身用紙Ｐ２として、表紙用紙Ｐ１に用いる高品位用紙よりも色再現可能な範囲が１段階低いマット紙を用いる構成は、省略してもよい。その場合は、表表紙Ｐ１ａや裏表紙Ｐ１ｃの前後の頁の本身に用いる本身用紙Ｐ２を、各頁に印刷する本身の画像の色再現範囲やオブジェクト種類により選択した印刷用紙を用いる。
【００８８】
なお、本実施形態では、製本システムＡの印刷装置２において、表紙と共に冊子Ｂを構成する本身の画像を印刷する本身用紙Ｐ２として用いる印刷用紙を、本身の画像の色再現範囲やオブジェクト種類に基づいて選択する場合を例に取って説明した。しかし、本発明は、印刷ジョブに基づいて印刷用紙に画像を印刷する際に、各頁の画像の色再現範囲やオブジェクト種類に基づいて各頁の印刷用紙を選択する場合にも、同様に適用可能である。
【００８９】
また、本実施形態では、本身の画像の色再現空間から本身用紙Ｐ２を選択し、選択した本身用紙Ｐ２を、本身の画像のオブジェクト種類により必要に応じて変更するものとしたが、例えば、図７のフローチャートに示すように、本身の画像のオブジェクト種類から本身用紙Ｐ２を選択し（ステップＳ５Ａ）、選択した本身用紙Ｐ２を、本身の画像の色再現空間により必要に応じて変更（ステップＳ７Ａ、ステップＳ９Ａ）してもよい。
【００９０】
さらに、本実施形態では、印刷装置２がインクジェット方式の印刷装置である場合について説明したが、本発明は、例えば、孔版印刷方式や電子写真方式等、インクジェットプリント以外の方式を用いた印刷装置を用いる場合にも適用することができる。
【００９１】
そして、本発明は上記の実施形態そのままに限定されるものではなく、実施段階ではその要旨を逸脱しない範囲で構成要素を変形して具体化できる。また、上記の実施形態に開示されている複数の構成要素の適宜な組み合せにより、種々の発明を形成できる。例えば、実施形態に示される全構成要素から幾つかの構成要素を削除してもよい。
【符号の説明】
【００９２】
１  ユーザ端末
２  印刷装置
３  製本装置
４  印刷装置筐体
５  印刷部
６Ｃ，６Ｋ，６Ｍ，６Ｙ  インクジェットヘッド
７  印刷搬送路
８  メイン給紙部
９，１３  給紙トレイ
１０，１４  給紙ローラ
１１，１５  給紙搬送路
１２  オプション給紙部
１６  スイッチバック部
１７  スイッチバック搬送路
１８  排出部
１９  連絡搬送路
２０  印刷制御部
３１  製本装置筐体
３２  導入搬送路
３３  整合部
３４  整合トレイ
３５  上部製本搬送路
３６  ストックトレイ
３７  断裁部
３８  カッタ
３９  クランプ部
４０  接着剤塗布部
４１  接着剤収容部
４２  塗布ローラ
４３  成形部
４４  背折りプレート
４５  突き当てプレート
４６  下部製本搬送路
４７  搬送部
４８，４９  ガイド部材
５０  排出部
５１  上側コンベア
５６  下側コンベア
６６  排出トレイ
６７  可動板
６８  製本制御部
Ａ  製本システム
Ｂ  冊子
Ｇ  ホットメルト接着剤
Ｎ  通信ネットワーク
Ｐ１  表紙用紙
Ｐ１ａ  表表紙
Ｐ１ｂ  背表紙
Ｐ１ｃ  裏表紙
Ｐ２  本身用紙
ＰＳ  用紙束
【図１】
2018103507.tif 000003
【図２】
2018103507.tif 000004
【図３】
2018103507.tif 000005
【図４】
2018103507.tif 000006
【図５】
2018103507.tif 000007
【図６】
2018103507.tif 000008
【図７】
2018103507.tif 000009